(57)【要約】【課題】リム部の後部の立設面に付着した汚物等の汚れを洗浄する便器洗浄装置の提供。【解決手段】リム部４を有する便器９後部に上方に噴出する局部洗浄ノズルＡを有する局部洗浄部３と、便座６と、便蓋７と、操作部８と、を有した便器洗浄装置１において、リム部４の後部の立設面５に向けて洗浄水を噴出する後部洗浄ノズル２１を有する後部洗浄部２を備え、後部洗浄ノズル２１が噴出する洗浄水で前記リム部４の後部の立設面６を洗浄する。【選択図】  図１
2004263397.tif 000002
【特許請求の範囲】
【請求項１】
リム部を有する便器後部に上方に噴出する局部洗浄ノズルを設けた便器洗浄装置において、前記リム部の後部の立設面に向けて洗浄水を噴出する後部洗浄ノズルを備えたことを特徴とする便器洗浄装置。
【請求項２】
前記後部洗浄ノズルは、シャワーノズルにしたことを特徴とする請求項１記載の便器洗浄装置。
【請求項３】
前記後部洗浄ノズルは、滝洗浄ノズルにしたことを特徴とする請求項１記載の便器洗浄装置。
【請求項４】
前記後部洗浄ノズルは、上記局部洗浄ノズルの上方に出退自在に配設したことを特徴とする請求項１乃至請求項３いずれかに記載の便器洗浄装置。
【請求項５】
前記後部洗浄ノズルは、格納した状態で下方の局部洗浄ノズルを洗浄可能とし、突出した状態で直接リム部の後部の立設面を洗浄可能とするようになしたことを特徴とする請求項４記載の便器洗浄装置。
【発明の詳細な説明】
【０００１】
【発明の属する技術分野】
本発明は、リム部の後部の立設面に付着した汚物等の汚れを洗浄する便器洗浄装置に関するものである。
【０００２】
【従来の技術】
従来、便器洗浄装置として、特開平１１−３２４０６３号公報に記載するものがある。この装置は、洋式の水洗便器に取付けられる。図１１に示すように、温水シャワー機構１０４と、操作釦１４３と、局部洗浄ノズル１４１と、水洗便器洗浄用ノズル１５２と、を備えている。水洗便器洗浄用ノズル１５２は、操作釦１４３の操作により、温水シャワー機構１０４より温水の供給を受けて温水の洗浄水を水洗便器の内面に向かって噴出するように作動する。そして、水洗便器洗浄用ノズル１５２が噴出する温水で水洗便器の内面に付着した汚れを洗い流すようにするものである。
【０００３】
【特許文献１】
特開平１１−３２４０６３号公報
【０００４】
【発明が解決しようとする課題】
特許文献１に記載しているものでは、排便後にお尻洗浄ノズルを使いお尻を洗浄すると洗浄水が飛散水として立設面に付着する場合がある。さらに、小用をした時に便器ボール内の溜水からの汚れた水が立設面に付着する場合がある。また、前記水洗便器洗浄用ノズルでは、便器ボール内全てを洗浄することは難しく、特に、リム部の後部の立設面は、前記水洗便器洗浄用ノズルの洗浄水が届きにくい場所である。従って、前記水洗便器洗浄用ノズルでは、リム部の後部の立設面に付着した汚れが落ちない場合がある。
【０００５】
本発明は、かかる事由に鑑みてなしたものであり、その目的とするところは、リム部の後部の立設面に付着した汚れも洗浄することができる便器洗浄装置を提供することにある。
【０００６】
【課題を解決するための手段】
上記問題点を解決するため、請求項１記載の発明は、リム部を有する便器後部に上方に噴出する局部洗浄ノズルを設けた便器において、前記リム部の後部の立設面に向けて洗浄水を噴出する後部洗浄ノズルを備えたものである。
【０００７】
請求項２記載の発明は、請求項１の構成において、後部洗浄ノズルの形状をシャワーノズルになしたものである。
【０００８】
請求項３記載の発明は、請求項１の構成において、後部洗浄ノズルの形状を滝洗浄ノズルになしたものである。
【０００９】
請求項４記載の発明は、請求項１乃至請求項３のいずれかの構成において後部洗浄ノズルを上記局部洗浄ノズルの上方に配設したものである。
【００１０】
請求項５記載の発明は、請求項４の構成において、前記後部洗浄ノズルは、格納した状態で下方の局部洗浄ノズルを洗浄可能とし、突出した状態で直接リム部の後部の立設面を洗浄可能とし、前記後部洗浄ノズルが突出した状態で直接リム部の後部の立設面を洗浄す可能としたものである。
【００１１】
【発明の実施の形態】
（第１の実施形態）
第１の実施形態を、図１乃至図７に基づいて説明する。図１は便器洗浄装置１を便器９に取付けた場合の断面図、図２は同上の要部の拡大図、図３は同上の便器洗浄装置１の斜視図、図４は後部洗浄部２と局部洗浄部３の斜視図、第４図は同上の系統図、第５図は同上のシャワーノズル２１ａの斜視図、第６図は同上の滝洗浄ノズル２１ｂの斜視図である。この便器洗浄装置１は、図１又は図２に示すように、後部洗浄部２と、局部洗浄部３と、便座６と、便蓋７と、操作部８と、を有し、便器９に取付ける。便器洗浄装置１は、図３に示すように、リム部４後部の立設面５を後部洗浄部２から噴出する洗浄水で洗浄するものである。また、リム部４後部の立設面５は、利用者が便座６に腰掛けた場合の背中側に位置するリム部４の下方から便器ボール面に沿って溜水の表面にかけての立設した部分である。
【００１２】
後部洗浄部２は、図４に示すように、リム部４の後部の立設面５に洗浄水を噴出する後部洗浄ノズル２１と、後部洗浄ノズル２１に洗浄水を供給するための水路である第１の流路１１と、後部洗浄ノズル２１と第１の流路１１をつなぐノズル洗浄用管路体２２と、を有している。第１の流路１１は、図５に示すように、電磁弁１８と貯湯タンク１７をつなぐ第２の流路１２から分岐してノズル洗浄用管路体２２に接続され、その先端には後部洗浄ノズル２１が接続されている。
【００１３】
局部洗浄部３は、図４に示すように、お尻洗浄ノズル３１と、第１のリンダー３２、第１のスライダー３３と、ビデ洗浄ノズル３４と、第２のシリンダー３５と、第２のスライダー３６と、を有している。
【００１４】
操作部８は、図５に示すように、流路切換弁１６を切換えて選定したノズル洗浄部２、第１のシリンダー３２又は、第２のシリンダー３５に貯湯タンク１７からの温水を供給して、選定したお尻洗浄ノズル３１又はビデ洗浄ノズル３４を所定位置に突出させるとともに突出位置において温水を噴出して洗浄をおこなうようにしている。このような温水供給は、電磁弁１８の開放によりロータンク１４からの洗浄水を貯湯タンク１７に供給することで、ヒータ１９にて加温された温水の一部を貯湯タンク１７の上部から給湯するものである。分岐水栓１５は、上水道とロータンク１４との経路を切換えて貯湯タンク１７に供給をおこなうものである。
【００１５】
次に、立設面５の洗浄について説明する。
操作部８の操作により、局部洗浄ノズルＡは、図５に示すように、流路切換弁１６を切換えて貯湯タンク１７からの温水の供給を受けて洗浄水を噴出し局部を洗浄する。そして、局部の洗浄が終わると、操作部８の操作により、流路切換弁１６を切換えて貯湯タンク１７からの温水の供給を止めるとともに、貯湯タンク１７は、減少した温水を電磁弁１８の開放によりロータンク１４から第２の流路１２をとおして供給される。このときに、後部洗浄ノズル２１は、第１の流路１１、ノズル洗浄用管路体２２をとおして洗浄水が供給され、後部洗浄ノズル２１から洗浄水が立設面５に向けて噴出する。そして、その洗浄水が立設面５に付着した汚れを洗い流すものである。
【００１６】
なお、第１の流路１１を、リム部４へ供給する流路から分岐させれば、リム部４に洗浄水が流れるときに後部洗浄ノズル２１に洗浄水が噴出するようになる。また、第１の流路１１を貯湯タンク１７から流路切換弁１６に接続する第３の流路１３から分岐すれば、後部洗浄ノズル２１に温水が噴出するようになり、温水を使うことにより、洗浄性能が上がる。
【００１７】
なお、シャワーノズル２９は、図６に示すように、大略Ｌ字状をなした円筒の先端部に噴出口２９ａを形成している。後部洗浄ノズル２１をシャワーノズル２９に置き換えると、噴出口の面積が小さくできるので、ノズル洗浄用管路体２２の管の直径が同じであれば圧力の高い洗浄水を噴出することができる。また、滝洗浄ノズル３０は、図７に示すように、大略円筒状をなしている。そして、その先端部の側面に長手方向が長辺になる長方形をなした噴出口を形成している。後部洗浄ノズル２１を滝洗浄ノズル３０に置き換えると、噴出口３０ａをノズル洗浄用管路体２２に沿って細長く取れるので、広い範囲の立設面５を洗浄することができる。また、滝洗浄ノズル３０の噴出口３０ａは、側面に短手方向が長辺になる長方形にしてもよい。
【００１８】
（第２の実施形態）
第２の実施形態を、図１、図６乃至図１０に基づいて説明する。図８は第２の実施形態の後部洗浄ノズル２１と局部洗浄部３の斜視図、図９は飛散防止板２６の裏面の斜視図、図１０は同上の系統図である。なお、図１、図６、図７は、前述した第１の実施形態で説明した図と同じものなので説明を省略する。
【００１９】
この実施形態の便器洗浄装置１は、図１に示すように、後部洗浄部２と、局部洗浄部３と、便座６と、便蓋７と、操作部８と、を有している。
【００２０】
後部洗浄部２は、図８に示すように、立設面５に洗浄水を噴出する後部洗浄ノズル２１と、第１の流路１１と、ノズル洗浄用管路体２２と、モータ２３と、伸縮チューブ２４と、ガイド２５と、飛散防止板２６と、を有している。そして、第１の流路１１は、流路切換弁１６と接続されている。さらに、第１の流路１１は伸縮チューブ２４を介してノズル洗浄用管路体２２に接続され、ノズル洗浄用管路体２２の先端に後部洗浄ノズル２１が接続している。また、ノズル洗浄用管路体２２の下部にはラック２２ａが設けられている。また、ラック２２ａに対応したピニオン２３ａがモータ２３に取付けられている。このモータ２３が駆動（正転、反転）することにラック２２ａが前後に動きノズル洗浄用管路体２２が出退自在することができる。このときに、伸縮チューブ２４は、伸縮する。また、ノズル洗浄用管路体２２が安定して出退自在するように中空のガイド２５が設けられ、ノズル洗浄用管路体２２は、中空の部分をとおって出退自在している。
【００２１】
後述する局部洗浄ノズルＡを洗浄する場合の後部洗浄ノズル２１は、局部洗浄ノズルＡを格納姿勢の位置を格納位置として、この上方に配設する。また、立設面を洗浄する場合の後部洗浄ノズル２１は、突出した状態、すなわち、局部洗浄ノズルＡを洗浄する位置から洗浄水が立設面５に噴出できる方向に所定の距離を移動したところに配設する（立設面から後部ノズル１を見上た場合の角度：仮想水平線に対し略４５°の方向）。
【００２２】
飛散防止板２６は、ノズル洗浄部２が、お尻洗浄ノズル３１とビデ洗浄ノズル３４を洗浄する際に洗浄水が上方及び局部洗浄部３に飛散するのを防止する。その裏面は、図９に示すように、３個の後部洗浄ノズルが２１設けてあり、お尻洗浄ノズル３１とビデ洗浄ノズル３４を格納する部分２７を形成している。また、ノズル洗浄用管路体２２と後部洗浄ノズル２１を配管するための流路２８を形成してある。なお、ノズルの個数は、適宜増減さすことができる。
【００２３】
局部洗浄部３は、図８に示すように、お尻洗浄ノズル３１と、第１のリンダー３２と、第１のスライダー３３と、ビデ洗浄ノズル３４と、第２のシリンダー３５と、第２のスライダー３６と、を有している。
【００２４】
お尻洗浄ノズル３１は、第１スライダー３３の先端部に設けられている。そして、お尻洗浄ノズル３１の先端部には、噴出口３１ａが形成されている。また、第１スライダー３３は、第１シリンダー３２に出退自在にできるようになっている。すなわち、お尻を洗浄する時の使用姿勢の使用位置と、お尻を洗浄しない時の格納姿勢の格納位置と、に移動可能になっている。格納姿勢は、お尻洗浄ノズル３１が、第１のシリンダー３２より突出しているように構成し飛散防止板２６の下部に格納される。
【００２５】
ビデ洗浄ノズル３４は、第２のスライダー３６の先端部に設けられている。そして、ビデ洗浄ノズル３４の先端部には、噴出口３４ａが形成されている。また、第２のスライダー３６は、第２のシリンダー３５に出退自在にできるようになっている。すなわち、ビデを洗浄する時の使用姿勢の使用位置と、ビデを洗浄しない時の格納姿勢の格納位置と、に移動可能になっている。格納姿勢は、ビデ洗浄ノズル３４が、第２のシリンダー３５より突出しているように構成し飛散防止板２６の下部に格納される。
【００２６】
次に、お尻洗浄ノズル３１とビデ洗浄ノズル３４の洗浄と、立設面５の洗浄と、について説明する。
お尻洗浄ノズル３１とビデ洗浄ノズル３４の洗浄は、操作部の操作によりおこなう。図１０に示すように、これらノズル３１、３４が、格納姿勢において流路切換弁１６の切換えによりノズル洗浄用管路体２２に供給されて後部洗浄ノズル２１より噴出して洗浄することができるようにしている。
【００２７】
立設面５の洗浄は、後部洗浄部２が突出した状態において、上記ノズル３１、３４の洗浄と同様にして、流路切換弁１６の切換えによりノズル洗浄用管路体２２に供給されて噴出口より噴出して洗浄することができるようにしている。また、後部洗浄ノズル２１がお尻洗浄ノズル３１とビデ洗浄ノズル３１の洗浄した後に立設面５の洗浄をおこなえば、ノズル３１、３４を洗浄したとき立設面５に付着する飛散水が洗浄できる。
【００２８】
噴出口２１ａより噴出される圧力は、お尻洗浄ノズル３１とビデ洗浄ノズル３４よりの噴出圧と同様となり、ノズル洗浄用管路体２２の管径、後部洗浄ノズル２１の数量又は、噴出口２１ａの大きさの設定により適宜決めることができる。これにより、噴出口２１ａより噴出される圧力は、充分に高い圧力をの噴出洗浄が可能になるものである。このようにすることにより、格納姿勢においてお尻洗浄ノズル３１とビデ洗浄ノズル３４の洗浄ができるとともに、便器洗浄位置において立設面５の洗浄ができる。
【００２９】
なお、後部洗浄ノズル２１は、局部洗浄ノズルＡの格納姿勢において、立設面５が十分に洗浄できれば後部洗浄ノズル２１を出退自在させなくてもよい。
【００３０】
【発明の効果】
請求項１記載の発明にあっては、便器洗浄装置にリム部の後部の立設面に向けて洗浄水を噴出する後部洗浄ノズルを備えたので、後部洗浄ノズルは、リム部の後部立設面に向けて洗浄水を噴出するので立設面の洗浄ができる。
【００３１】
請求項２記載の発明にあっては、請求項１記載の効果に加え、シャワーノズルを使うことにより圧力の高い洗浄水を噴出し、立設面についた汚れが取れやすくなる。
【００３２】
請求項３記載の発明にあっては、請求項１記載の効果に加え、滝洗浄ノズルを使うことにより立設面のより広い範囲を洗浄することができ、より広い範囲の立設面の洗浄ができる。
【００３３】
請求項４記載の発明にあっては、請求項１乃至請求項３いずれかに記載の効果に加え、後部洗浄ノズルを局部洗浄ノズルの上面に配設することにより、後部洗浄ノズルが噴出する洗浄水で局部洗浄ノズルを洗浄することができる。
【００３４】
請求項５記載の発明にあっては、請求項４記載の効果に加え、後部洗浄ノズルは、下方の局部洗浄ノズルが格納した状態で局部洗浄ノズルの洗浄をおこない、突出した状態で立設面の洗浄をおこなうので、局部洗浄ノズルがきれいになるとともに、立設面は、より一層、きれいに洗浄できる。
【図面の簡単な説明】
【図１】第１の実施形態の便器洗浄装置を便器に取付けた場合の断面図である。
【図２】は同上の要部の拡大図である。
【図３】同上の便器洗浄装置の斜視図である。
【図４】同上の後部洗浄部と局部洗浄部の斜視図である。
【図５】同上の系統図である。
【図６】同上のシャワーノズルの斜視図である。
【図７】同上の滝洗浄ノズルの斜視図である。
【図８】第２の実施形態の後部洗浄部と局部洗浄部の斜視図である。
【図９】同上の飛散防止板の裏面の斜視図。
【図１０】同上の系統図である。
【図１１】従来の便器洗浄装置の構成の斜視図である。
【符号の説明】
１      便器洗浄装置
４      リム部
５      立設面
９      便器
２１    後部洗浄ノズル
２９    シャワーノズル
３０    滝洗浄ノズル
Ａ      局部洗浄ノズル
【図１】
2004263397.tif 000003
【図２】
2004263397.tif 000004
【図３】
2004263397.tif 000005
【図４】
2004263397.tif 000006
【図５】
2004263397.tif 000007
【図６】
2004263397.tif 000008
【図７】
2004263397.tif 000009
【図８】
2004263397.tif 000010
【図９】
2004263397.tif 000011
【図１０】
2004263397.tif 000012
【図１１】
2004263397.tif 000013